(57)【要約】【課題】デジタル放送を高解像で短時間に視聴できるとともに、ユーザのＴＶ／ＰＣ機能をシームレスに選択できるテレビ機能付きパーソナルコンピュータを提供する。【解決手段】テレビ機能付きパーソナルコンピュータのＴＶボード部は、ＰＣ電源投入時から単独でＴＶ映像と音声を出力できるようにし、このときのＴＶチャンネルの設定情報を記憶する第２のＴＶ設定情報記憶部と、ＴＶ表示プログラムにより参照されてＴＶボード部に設定されるＴＶチャンネルの設定情報を記憶する第１のＴＶ設定情報記憶部を設ける構成とした。さらに、ＴＶ表示プログラムの動作終了時に、第１のＴＶ設定情報記憶部と第２のＴＶ設定情報記憶部の記憶内容を同一に設定する。【選択図】図１
2007311958.tif 000002
【特許請求の範囲】
【請求項１】
ＴＶ放送波を受信してＴＶ番組を表示するテレビ機能付きパーソナルコンピュータにおいて、
ＯＳおよびＴＶ表示プログラム等のプログラムを実行するＣＰＵと、
ＴＶ番組の視聴操作情報を入力するリモコンと、
前記ＴＶ放送波を受信してＴＶ映像とＴＶ音声を独立して出力するとともに前記リモコンからの操作指示あるいは前記ＴＶ表示プログラムを実行するＣＰＵからの指示により出力内容を変更するＴＶボード部と、
前記リモコンからの操作指示あるいは前記ＴＶ表示プログラムを実行するＣＰＵからの指示をもとに前記ＣＰＵの実行結果と前記ＴＶボード部が出力するＴＶ映像を表示する表示部と、
前記ＴＶ表示プログラムにより参照されて前記ＴＶボード部に設定されるＴＶチャンネルの設定情報を記憶する第１のＴＶ設定情報記憶部と、
前記リモコンの操作指示あるいは電源スイッチの操作指示により前記ＴＶボード部と前記ＣＰＵを含む当該パーソナルコンピュータに電源を供給する電源部と、を備え、
前記ＴＶボード部には、電源投入時の該ＴＶボード部のＴＶチャンネルの設定情報を記憶する第２のＴＶ設定情報記憶部を有し、
前記リモコンからの操作指示により前記電源部が電源供給を始めた場合には、前記ＴＶボード部は前記第２のＴＶ設定情報記憶部の設定情報に基づいてＴＶ表示をおこない、
前記第１のＴＶ設定情報記憶部と前記第２のＴＶ設定情報記憶部の記憶内容は前記ＴＶ表示プログラムの動作終了時に同一に設定されることを特徴とするテレビ機能付きパーソナルコンピュータ。
【請求項２】
請求項１に記載のテレビ機能付きパーソナルコンピュータにおいて、
前記ＣＰＵは、ＴＶ表示プログラムの起動途中に、前記ＴＶボード部からＴＶチャンネルの設定情報を取得して、前記第１のＴＶ設定情報記憶部に記憶することを特徴とするテレビ機能付きパーソナルコンピュータ。
【請求項３】
ＴＶ放送波を受信してＴＶ番組を表示するテレビ機能付きパーソナルコンピュータにおいて、
ＯＳおよびＴＶ表示プログラム等のプログラムを実行するＣＰＵと、
ＴＶ番組の視聴操作情報を入力するリモコンと、
前記ＴＶ放送波を受信してＴＶ映像とＴＶ音声を独立して出力するとともに前記リモコンからの操作指示あるいは前記ＴＶ表示プログラムを実行するＣＰＵからの指示により出力内容を変更するＴＶボード部と、
前記リモコンからの操作指示あるいは前記ＴＶ表示プログラムを実行するＣＰＵからの指示をもとに前記ＣＰＵの実行結果と前記ＴＶボード部が出力するＴＶ映像を表示する表示部と、
前記リモコンの操作指示あるいは電源スイッチの操作指示により前記ＴＶボード部と前記ＣＰＵを含む当該パーソナルコンピュータに電源を供給する電源部と、を備え、
前記表示部にＴＶ映像を全面表示しているとき、前記ＣＰＵは、ＯＳおよびＴＶ表示プログラム等プログラムの起動状況に応じて前記ＴＶボード部に前記表示部の一部に起動状況を表すメッセージを表示するように指示することを特徴とするテレビ機能付きパーソナルコンピュータ。
【請求項４】
請求項３に記載のテレビ機能付きパーソナルコンピュータにおいて、
前記ＣＰＵは、ＯＳ起動途中に起動途中を表すメッセージを所定時間表示し、ＴＶ表示プログラムの起動終了時に起動完了を表すメッセージを所定時間表示することを特徴とするテレビ機能付きパーソナルコンピュータ。
【請求項５】
請求項３に記載のテレビ機能付きパーソナルコンピュータにおいて、
前記ＣＰＵは、さらに、前記リモコンが操作されたときに、前記ＴＶボード部に前記表示部の一部に起動状況を表すメッセージを所定時間表示するように指示することを特徴とするテレビ機能付きパーソナルコンピュータ。
【発明の詳細な説明】
【技術分野】
【０００１】
本発明は、テレビ視聴機能付きパーソナルコンピュータ（以下、ＰＣと略す）のテレビ視聴機能を高速に起動するのに好適な技術に関する。
【背景技術】
【０００２】
近年、テレビチューナを搭載したテレビ機能付きＰＣが広く普及している。テレビ機能付きＰＣに搭載されているプロセッサ（ＣＰＵ）は、テレビ受像機やＨＤＤレコーダが備えるプロセッサよりも高性能である。このため、映像の特徴抽出を実施して特長あるシーンを再生するダイジェスト再生といった、テレビ受像機やＨＤＤレコーダには搭載されていない機能を搭載し、より便利に利用できるようになっている。
【０００３】
しかし、このような機能を実現するためにはより複雑で高機能なソフトウェアが必要である。このため、テレビ機能付きＰＣの起動時間は、テレビ受像機やＨＤＤレコーダに比べて格段に長い。近年、より快適にテレビ機能付きＰＣを使いたいというニーズが高まっており、ユーザによる電源オンの操作後、数秒でテレビが見られるＰＣに注目が集まっている。
【０００４】
高速起動に対応したテレビ機能付きＰＣの構成は、例えば、特許文献１に開示されている。この特許文献１に示される技術は、ＢＩＯＳと呼ばれる機器固有のソフトウェアプログラムに、ＴＶやＤＶＤプレーヤといったアプリケーション機能を搭載することで、これらの機能の高速起動を実現している。ＢＩＯＳにアプリケーション機能を搭載して、オペレーティングシステムの起動を不要とすることで、所望のアプリケーション機能とは関係がない機能も起動してしまうオペレーティングシステム（ＯＳ）の待ち時間を短縮できる。
【０００５】
また別の解決方法として特許文献２に記載されたＰＣは、リモコン受信・制御機能を含めテレビ視聴機能が動作するブロックを独立してＰＣ内に持ち、独自に電源を供給・制御するようにしている。これにより、テレビ視聴機能を高速に起動させ、且つそのブロックとは無関係に起動するＰＣブロックが起動した後には前述のＰＣの高性能・多機能を使用することが可能としている。
【０００６】
ところで、ＴＶとＰＣでは、映像信号の仕様が異なり、ＰＣではＲＧＢの色信号により表示をおこなうことが多く、テレビではＹＵＶの色差信号により表示をおこなうことが多い。このため、ディスプレイで入力を切り替えて表示おこなっている。また、アナログＲＧＢ出力でデジタル放送の画面出力をおこなう場合には、フレーム当たり52万画素を上限とする解像度制限があり、デジタル放送のハイビジョン表示をＰＣでおこなうことができなかった。このため、テレビ機能付きＰＣでは、ハイビジョンＴＶ表示部をＰＣ表示部と別に設けている場合が多い。
【０００７】
【特許文献１】特開２００４−１６４５３７号公報
【特許文献２】特開２００５−３０３９３５号公報
【発明の開示】
【発明が解決しようとする課題】
【０００８】
上記特許文献１に開示されている技術によれば、ＯＳの起動を不要にすることができるので、テレビを視聴できるまでの待ち時間が短くなる。その反面、ユーザがＰＣ機能を使いたいと思った場合は、ＢＩＯＳによるアプリケーション機能実行状態を一度リセットし、オペレーティングシステムを再起動するという手間と、再起動完了までの待ち時間が必要になる。
【０００９】
他方、特に、近年のデジタルテレビ機能を考えると、データ放送や双方向サービスといったより高度な利用形態が提供されており、これらの機能を搭載する場合、アプリケーション機能を格納しているＢＩＯＳコードサイズが肥大化して経済的な容量のＲＯＭには格納しきれなくなる可能性が高い。
【００１０】
また、特許文献２に開示されている技術では、ＴＶ機能ブロックでは、一般的なＰＣが標準的に持っているインターフェースを使用せずに、独立して動作するリモコン受信・制御機能ブロックを持つと共に、情報処理システム全体の状態制御部が必要となる上、その機能を動作させるために専用の電源を必要とする構成となっている。
【００１１】
本発明は上記課題を解決し、デジタル放送を高解像で短時間に視聴できるとともに、ユーザのＴＶ／ＰＣ機能をシームレスに選択できるテレビ機能付きパーソナルコンピュータを提供することにある。
【課題を解決するための手段】
【００１２】
上記課題を解決するために、本発明のテレビ機能付きパーソナルコンピュータは、ＯＳおよびＴＶ表示プログラム等のプログラムを実行するＣＰＵと、ＴＶ番組の視聴操作情報を入力するリモコンと、前記ＴＶ放送波を受信してＴＶ映像とＴＶ音声を独立して出力するとともに前記リモコンからの操作指示あるいは前記ＴＶ表示プログラムを実行するＣＰＵからの指示により出力内容を変更するＴＶボード部と、前記リモコンからの操作指示あるいは前記ＴＶ表示プログラムを実行するＣＰＵからの指示をもとに前記ＣＰＵの実行結果と前記ＴＶボード部が出力するＴＶ映像を表示する表示部と、前記ＴＶ表示プログラムにより参照されて前記ＴＶボード部に設定されるＴＶチャンネルの設定情報を記憶する第１のＴＶ設定情報記憶部と、前記リモコンの操作指示あるいは電源スイッチの操作指示により前記ＴＶボード部と前記ＣＰＵを含む当該パーソナルコンピュータに電源を供給する電源部と、を備える構成とし、前記ＴＶボード部には、電源投入時の該ＴＶボード部のＴＶチャンネルの設定情報を記憶する第２のＴＶ設定情報記憶部を有し、前記リモコンからの操作指示により前記電源部が電源供給を始めた場合には、前記ＴＶボード部は前記第２のＴＶ設定情報記憶部の設定情報に基づいてＴＶ表示をおこない、前記第１のＴＶ設定情報記憶部と前記第２のＴＶ設定情報記憶部の記憶内容は前記ＴＶ表示プログラムの動作終了時に同一に設定されるようにした。
【００１３】
また、本発明のテレビ機能付きパーソナルコンピュータは、前記表示部にＴＶ映像を全面表示しているとき、前記ＣＰＵは、ＯＳおよびＴＶ表示プログラム等プログラムの起動状況に応じて前記ＴＶボード部に前記表示部の一部に起動状況を表すメッセージを表示するように指示するようにした。
【発明の効果】
【００１４】
本発明によれば、テレビ機能付きＰＣにおいて、短時間にＴＶ表示をおこなうことができとともに、ＴＶ表示中にＯＳが起動した状態に容易に遷移できるので、使い勝手のよいテレビ機能付きパーソナルコンピュータを提供することができる。
【００１５】
また、ＴＶ／ＰＣ表示モード遷移時の視聴弊害がなく使い勝手のよいテレビ機能付きパーソナルコンピュータを提供することができる。
【発明を実施するための最良の形態】
【００１６】
以下、本発明の詳細について、図面を用いて説明する。
図１は、本発明の実施例のシステム構成図である。実施例のテレビ機能付きＰＣは、ＣＰＵ1と、プログラムやＰＣ表示データが記憶される主メモリ2と、主メモリ2や周辺デバイスの制御をおこなうシステムコントローラ3と、実施例のＰＣの処理結果を表示する液晶ディスプレイ4とを含んで構成されている。そして、実施例のＰＣのＴＶ機能は、システムコントローラ3にシステムバス6を介して接続されるＴＶボード5により実現されている（詳細は後述する）。
【００１７】
ＴＶボード5で生成されるＴＶ表示と、システムコントローラ3に含まれる表示コントローラ7で生成されるＰＣ表示は、ＬＣＤコントローラ8によりＴＶ表示とＰＣ表示のいずれかが選択されて液晶ディスプレイ4に表示される。このＴＶ表示とＰＣ表示の選択は、システムコントローラ3から出力される表示モード選択信号9により制御される。
【００１８】
さらに、システムコントローラ3には、ＴＶ機能を実行するＴＶプログラム9とＴＶ視聴時の音量やチャネル番号等のＴＶ設定情報10やＯＳプログラムを記憶するＨＤＤ11が接続されている。実施例のＰＣが電源投入されると、ＢＩＯＳ（図示せず）を実行後に、ＨＤＤ11からＯＳプログラムを読み出してメモリ2に記憶し、メモリ2上のＯＳプログラムを実行してＯＳを起動する。その後、ＨＤＤ11からＴＶプログラム9を読み出してメモリ2に記憶し、ＴＶプログラムを起動する。
【００１９】
このＴＶプログラムは、表示モード選択信号9を制御してＬＣＤコントローラ8にＴＶ表示を選択するように設定するとともに、システムバス6を介してＴＶボード5を制御してＴＶ放送を液晶ディスプレイ4に表示する。このとき、ＴＶプログラムは、リモコンによるユーザの操作指示を基に表示チャネルの設定・変更や音声出力の出力レベルの設定・変更等のＴＶ表示制御をおこなう。
【００２０】
さらに、ＴＶボード5を制御して、受信したＴＶ放送のＴＶ映像データをＴＶボード5からＨＤＤ11に転送してＴＶ放送の録画をおこなう。また、ＨＤＤ11に記録されたＴＶ映像データを読出してＴＶボード5に転送し、ＴＶ表示情報に変換して液晶ディスプレイ4に表示することもできる。これらのＴＶ機能は、ＴＶボード内でＴＶ放送の映像情報処理が独立に行われるので、ＣＰＵ1の処理負担になることはない。
【００２１】
ＴＶ機能を制御するリモコンは「電源ボタン」「チャンネル上下ボタン」「音量上限ボタン」「ワンタッチチャネルボタン」等の複数の操作ボタンをもち、こられのボタン操作は、リモコンコントローラ12によりインターフェースされてＴＶプログラムに通知される。また、このリモコンのボタン操作情報は、リモコンコントローラ12により、ＴＶボード5とＬＣＤコントローラ8にリモコン操作信号13として通知される。
【００２２】
ＴＶボード5は、このリモコン操作信号を受信すると、操作情報を解析してＴＶボードの動作を決定する。このように、ＴＶボード5は、システムバス6を介して制御される以外に、独自にリモコン操作信号13にしたがったＴＶ表示機能を制御できるようにしている。この構成により、ＴＶプログラムが起動する前でもＴＶ表示の操作をおこなうことができる。
【００２３】
また、ＬＣＤコントローラ8にも、リモコン操作信号13が接続されているので、リモコン操作信号により、ＴＶ表示とＰＣ表示の選択をおこなうことができる。この構成により、ＴＶプログラムが起動する前でもＴＶ表示をおこなうことができる。
【００２４】
図１の電源ユニット14は、主電力出力とスタンバイ電力出力の２つの出力をもち、このうちスタンバイ電力出力は電源ユニット14にＡＣ電力が供給されると出力される。このスタンバイ電力は、システムコントローラ3とリモコンコントローラ12に供給される。
【００２５】
システムコントローラ3にはＰＣの電源スイッチ15が接続されており、ユーザが電源スイッチ15を投入するとシステムコントローラ3から電源ユニット14に電源オン信号16が通知される。電源ユニット14は電源オン信号16を受けると主電力を出力し、ＣＰＵ1とメモリ2とＨＤＤ11とＴＶボード5とＬＣＤコントローラ8と液晶ディスプレイ4に電力供給する。この主電力の供給によりＣＰＵ1はＯＳの起動を開始し、ＴＶボード5もＴＶ表示を開始する。
【００２６】
リモコンの「電源ボタン」が押下されると、リモコンコントローラ12はシステムコントローラ3にリモコン操作信号13を介して「電源ボタン」の押下情報を通知し、システムコントローラ3は電源ユニット14に電源オン信号16を通知する。これにより、電源スイッチ15が投入されたときと同様に、ＣＰＵ1はＯＳの起動を開始し、ＴＶボード5もＴＶ表示を開始する。
【００２７】
つぎに、図２によりＴＶボード5の詳細を説明する。ＴＶボード5は、プロセッサ構成のＴＶ表示コントローラ17とＴＶ表示コントローラ17のプログラムを記憶するＲＯＭ18とＴＶ放送波を受信するチューナー19とから構成される。ＴＶ表示コントローラ17はＲＯＭ18に記憶されたプログラムに基づいてＴＶ表示機能を実行し、映像信号と音声信号を出力する。チューナー19は、ＴＶ表示コントローラ17からの指示に基づいて複数のＴＶ放送波からひとつのチャネルを選択し、ＴＶ信号をＴＶ表示コントローラ17に通知する。
【００２８】
また、ＴＶ表示コントローラ17は、システムバス6を介してシステムコントローラ3に接続されており、ＣＰＵ1で実行されるＴＶプログラム9により制御されている。さらに、システムコントローラ3にはリモコン操作信号13が接続され、リモコンから直接制御可能な構成になっている。
【００２９】
ＴＶ設定記憶部20には表示するチャネル情報や音声の音量情報を記憶してある。ＴＶ表示コントローラ17は、ＴＶ設定記憶部20の設定情報あるいはＴＶプログラム9あるいはリモコンからの指示により表示チャネルと音量を設定する。さらに、ＴＶ設定記憶20は不揮発性メモリにより構成し、ＴＶボード5が電力供給されていなときにもＴＶ設定情報を保持しておくようにする。電源供給を停止するときの表示チャネルと音量の設定値をＴＶ設定記憶20に記憶しておくことにより、つぎに電源供給をおこなう際に、表示チャネルと音量を回復することができる。
【００３０】
つぎに図３により、ＴＶ機能のＴＶ音声出力とＰＣ機能のＰＣ音声出力の出力方法について説明する。音声関係以外の構成は図１と同様なので、説明は省略する。ＴＶ機能のＴＶ音声情報は、ＴＶボード5のＴＶ表示コントローラ17でＴＶ信号から分離されてＴＶ音声として出力される。ＰＣ機能のＰＣ音声情報は、システムコントローラ3で生成されて、ＰＣ音声出力として出力される。ＴＶ音声出力とＰＣ音声出力はそれぞれ、音声アンプ21により増幅あるいは減衰され、ＰＣ／ＴＶ音声選択部22で選択され、スピーカ23からＴＶ音声あるいはＰＣ音声として出力される。
【００３１】
音声アンプ21は、システムコントローラ3とＴＶ表示コントローラ17のそれぞれから音量設定信号が入力され、増幅量や減衰量が設定される。そして、ＰＣ／ＴＶ音声選択部22のＴＶ音声出力とＰＣ音声出力の選択は、ＴＶプログラム9により制御され、システムコントローラ3から出力されるＰＣ／ＴＶ音声選択信号によりおこなわれる。
【００３２】
また、ＰＣ／ＴＶ音声選択部22にはリモコン操作信号13が接続されている。リモコンからＰＣ／ＴＶ音声選択部22を直接制御できる構成とすることにより、リモコンの「電源ボタン」の押下によりＰＣ／ＴＶ音声選択部22をＴＶ音声選択状態に設定することができので、ＴＶプログラム9が起動する以前でも、ＴＶ音声を出力することができる。
【００３３】
図４により、液晶ディスプレイ4に表示されるＴＶ表示の一例をしめす。先に説明したように、リモコンの「電源ボタン」が押下されると、主電力供給が始まってＯＳとＴＶプログラム9が順に起動される。このとき、ＴＶボード5にも主電力供給されるので、ＴＶ表示コントローラが起動してＴＶ表示が始まる。先に説明したように、ＬＣＤコントローラ8とＰＣ／ＴＶ音声選択部22にはリモコン操作信号13が接続されているので、ＴＶプログラム9が起動する以前でも、液晶ディスプレイ4にＴＶ表示がおこなわれるとともにスピーカ23からＴＶ音声が出力される。
【００３４】
上述のように、リモコンの「電源ボタン」の押下により液晶ディスプレイ4にＴＶ表示が開始され、裏でＯＳやＴＶプログラム9の起動がおこなわれる。ユーザからはＰＣの起動状態が判らないため、本実施例ではＴＶ表示画面の一部に「ＰＣ起動中」のメッセージ24や「ＰＣ起動完了」のメッセージを表示する。この表示は、ＴＶ表示の視聴をさまたげるため、所定時間のみ表示するのが望ましい。
【００３５】
また、リモコン操作によりチャネル番号の表示25や番組名の表示26やＴＶ局のロゴ表示27や音声ボリュームの設定表示28をおこなうようにする。これらの表示も、ＴＶ表示の視聴をさまたげるため、所定時間のみ表示するのが望ましい。さらに、上記のリモコン操作に同期して、そのときのＰＣの起動状態を一定時間メッセージ表示するようにしてもよい。これらのメッセージ出力は、リモコン操作信号13を基にＴＶボード5のＴＶ表示コントローラ17がおこなうことができる。
【００３６】
ほかに、ＣＰＵ1で実行されるＴＶプログラム9等のプログラムがシステムバス6を介してＴＶ表示コントローラ17にメッセージ出力を行うようにコマンド設定し、ＴＶ表示コントローラ17がこのコマンドに従ってメッセージ出力するようにしてもよい。このように構成することにより、ＯＳ起動後に裏で実行されているアプリケーションプログラムからユーザに操作要求をだすことができる。例えば、メールが着信したときに、ＴＶ表示中の液晶ディスプレイ4にメッセージ通知することができる。ユーザはこのメッセージを見てＴＶ表示からＰＣ動作に実施例のＰＣの動作モードを切り替える。
【００３７】
つぎに、図５から図７によりＣＰＵ1の動作とＴＶボード5間の起動シーケンスの詳細を説明する。
【００３８】
図５は、リモコンの「電源ボタン」の押下によりＰＣがＴＶモードで起動し、その後リモコン操作によりＰＣモードに変更される場合の動作シーケンスを説明する図である。図の中央部に、ＣＰＵ1を含むＰＣシステムとＴＶボード5の間のコマンドシーケンスを示し、図の左右には、対応するＰＣのＯＳやプログラムの起動状況と表示画面の表示モードを示している。後述する図６、図７も同様の記載内容となっている。
【００３９】
以下、図５により起動シーケンスを詳細に説明する。リモコンの「電源ボタン」の押下によりＣＰＵ1とＴＶボード5に電源が供給されると（S01）、ＰＣシステムではＯＳやプログラムの起動が開始され、また、ＴＶボード5もＴＶ表示を開始する。ＴＶボード5は電源投入後、数秒で、ＴＶ表示が可能となり、裏でＯＳやＴＶプログラム9の起動がおこなわれる。これをユーザに通知するために、ＴＶ表示画面の一部に「ＰＣ起動中」のメッセージ表示をおこなう（S02）。この「ＰＣ起動中」のメッセージ表示は、ＴＶ表示の視聴をさまたげるため、所定時間のみ表示するようにする。
【００４０】
ＴＶボード5は電源投入直後からＴＶ表示が可能になっている。先に説明したように、ＴＶボード5はリモコン操作信号13が接続され、「チャンネル上下ボタン」「音量上限ボタン」「ワンタッチチャネルボタン」等のリモコン操作によりＴＶ表示制御をおこなうことができる。このとき、ユーザにＰＣシステムの起動状況を通知するために、リモコン操作に応じて「ＰＣ起動中」のメッセージ表示をおこなう（S03）。このメッセージの表示位置は、図４にしめすように、チャネル設定やボリューム設定とは異なる位置に表示する。
【００４１】
ＯＳ起動が終了しＴＶ表示アプリケーションプログラムが起動すると、起動途中に、ＴＶボード5にチャネル設定値とボリューム設定値の取得コマンドが通知される（S04）。取得コマンドを受信したＴＶボード5は、そのときのチャネル設定値とボリューム設定値をＴＶ表示アプリケーションプログラムに応答する（S05）。これにより、ＯＳやＴＶ表示アプリケーションプログラムの起動中のリモコン操作による設定値の変更をＴＶ表示アプリケーションプログラムが知ることができ、後述するＴＶボードによる制御からＴＶ表示アプリケーションプログラムの制御への移行を円滑におこなうことができる。より具体的には、移行時に表示されているＴＶチャネルを変更しないことや、音声のボリューム設定を同一にすることができる。
【００４２】
ＴＶ表示アプリケーションプログラム起動完了すると、ＰＣシステムからＴＶボード5にＰＣ／ＴＶ連動モード変更コマンドが通知される。このコマンドにより、ＴＶボード5は、リモコン操作信号13によるＴＶ表示制御を止め、システムバス6を介して制御される。このとき、ユーザにＴＶ表示の裏で行われていたＯＳやＴＶプログラム9の起動が完了したことを通知するために、ＴＶ表示画面の一部に「ＰＣ起動終了」のメッセージ表示を一定時間おこなう。
【００４３】
表示アプリケーションプログラムが起動完了すると、リモコン操作はシステムコントローラ3を介して表示アプリケーションプログラムに通知される制御方法に変更され、ＴＶチャネル変更はシステムバス6を介したチャネル設定コマンドによりおこなわれる（S07）。ＴＶボード5はリモコンのＴＶ視聴のための単機能操作に限定して対応していたが、ＴＶ表示アプリケーションプログラムでは、より高機能のリモコン操作に対応することができる。
【００４４】
また、ＰＣ／ＴＶ連動モード変更コマンドが通知されると、音声出力はＴＶボード5からシステムコントローラ3の音声出力に変更される。このときの音声出力レベルは、ＰＣ／ＴＶ連動モード変更コマンドが通知される前にＴＶボード5から取得しているので、音声レベルや表示ＴＶチャネルが変わることがない。
【００４５】
表示アプリケーションプログラムが検知したリモコン操作情報により指示されたチャネル情報や音声ボリューム情報は、TV設定情報10に記録される（S08）。
【００４６】
つぎにＯＳ起動後にリモコンにより表示画面をＰＣ表示に切り替えた場合のシーケンスを説明する。本実施例のリモコンでは「TOP」ボタンを設けてあり、このボタンの押下により、表示アプリケーションプログラムのトップ画面に移行するようにしている。表示アプリケーションプログラムがこの「TOP」ボタンの押下指示を受ける（S09）と、ＴＶボード5に対して、PCモード変更コマンドを出力する（S10）。このとき、ＴＶ表示アプリケーションプログラムは、システムコントローラ3により表示モード選択信号9を制御してＬＣＤコントローラ8に表示コントローラ7の映像出力を選択するように設定する。
【００４７】
表示画面をＰＣ表示にするＰＣモードでも、ＴＶ表示アプリケーションプログラムは、ＴＶ表示を表示画面の一部の領域に表示することができる。この場合のチャネル設定は、ＴＶ表示アプリケーションプログラムが検知したリモコン操作情報を、ＴＶボード5に設定することによりおこなう（S11）。このときのＴＶ表示は、ＴＶ表示アプリケーションプログラムがＴＶボード5からＴＶの映像データを取得し（S12）、表示コントローラ7の表示メモリに書き込むことによりおこなう。
【００４８】
ＰＣモードで、装置の電源切断をおこなうシーケンスをつぎに説明する。装置の電源切断は、リモコンの「電源ボタン」の押下によりおこなわれる。表示アプリケーションプログラムがこの「電源ボタン」の押下指示を受ける（S13）と、表示アプリケーションプログラムは、ＴＶ設定情報10に記録されているチャネル番号や音量等のＴＶ視聴情報を読出して、ＴＶボード5に通知する（S14）。ＴＶボード5は、通知されたＴＶ視聴情報をＴＶ設定情報20に記録する（S15）。これにより、再起動してＴＶ視聴をおこなった場合に、電源切断時のチャネル番号や音量等のＴＶ視聴情報の基にＴＶ表示がおこなえるので、装置の使い勝手が向上する。
【００４９】
その後、表示アプリケーションプログラムはＴＶボード5にＴＶ表示の表示終了コマンドを通知し（S16）、ＯＳプログラムにシステム終了処理を依頼して装置の電源切断をおこなう。
【００５０】
図５のシーケンスではＴＶモードで起動した後に、ＰＣモードに移行する場合を説明したが、途中でＰＣモードに移行せずに電源切断する使用方法もある。図６にＴＶモードのまま使用した場合のシーケンスを説明する。図６の前半部分は、図５のリモコンから表示画面をＰＣ表示モードに切り替えるまで（S01〜S08）と同様のシーケンスのため、ここでは説明を省略する。
【００５１】
上述したようにＴＶモードでも、ＰＣシステムのＯＳプログラムやＴＶ表示アプリケーションプログラムの起動はおこなわれており、リモコン操作情報の取得とそれに情報を基にした制御は表示アプリケーションプログラムからおこなわれる。
【００５２】
表示アプリケーションプログラムがこの「電源ボタン」の押下指示を受ける（S13）と、表示アプリケーションプログラムは、ＴＶ設定情報10に記録されているチャネル番号や音量等のＴＶ視聴情報を読出して、ＴＶボード5に通知する（S14）。ＴＶボード5は、通知されたＴＶ視聴情報をＴＶ設定情報20に記録する（S15）。これにより、再起動してＴＶ視聴をおこなった場合に、電源切断時のチャネル番号や音量等のＴＶ視聴情報の基にＴＶ表示がおこなえるので、装置の使い勝手が向上する。
【００５３】
その後、表示アプリケーションプログラムはＴＶボード5にＴＶ表示の表示終了コマンドを通知し（S16）、ＯＳプログラムにシステム終了処理を依頼して装置の電源切断をおこなう。
【００５４】
実施例のテレビ機能付きＰＣで起動時にＴＶ表示をおこなわない場合のシーケンスを図７により説明する。このモードは、電源スイッチ15の押下により電源投入が行われたときに起動し、表示画面にはＯＳプログラムの起動画面が表示され、ＯＳプログラムの起動後にＴＶ表示アプリケーションプログラムが起動される。このときのＴＶ表示アプリケーションプログラムは、ＴＶ表示を表示画面の一部の領域に表示する。
【００５５】
このモードでは、ＴＶボード5の表示出力を表示せずに、表示コントローラ7の表示出力を表示する。このため、システムコントローラ3は、電源スイッチ15の押下を検知すると、電源オン信号16を出力するとともに、ＬＣＤコントローラ8にＰＣ表示をおこなうよう表示モード選択信号9を出力する。なお、表示モード選択信号9の出力は、ＢＩＯＳがシステムコントローラ3内部の電源投入イベント情報を参照して出力するようにしてもよい。
【００５６】
このモードでも、リモコン操作情報の取得とそれに情報を基にした制御は表示アプリケーションプログラムからおこなわれる。表示アプリケーションプログラムがこの「電源ボタン」の押下指示を受ける（S13）と、表示アプリケーションプログラムは、TV設定情報10に記録されているチャネル番号や音量等のＴＶ視聴情報を読出して、ＴＶボード5に通知する（S14）。ＴＶボード5は、通知されたＴＶ視聴情報をＴＶ設定情報20に記録する（S15）。これにより、再起動してＴＶ視聴をおこなった場合に、電源切断時のチャネル番号や音量等のＴＶ視聴情報の基にＴＶ表示がおこなえるので、装置の使い勝手が向上する。
【００５７】
その後、表示アプリケーションプログラムはＴＶボード5にＴＶ表示の表示終了コマンドを通知し（S16）、ＯＳプログラムにシステム終了処理を依頼して装置の電源切断をおこなう。
【図面の簡単な説明】
【００５８】
【図１】本発明の実施例のシステム構成図である。
【図２】ＴＶボードの構成図である。
【図３】本発明の実施例の音声出力を説明するシステム構成図である。
【図４】ＴＶ表示の一例を説明する図である。
【図５】ＴＶモードで起動して途中でＰＣモードに切り替えて使用するときのシーケンスを説明する図である。
【図６】ＴＶモードのまま使用するときのシーケンスを説明する図である。
【図７】ＰＣモード起動時のシーケンスを説明する図である。
【符号の説明】
【００５９】
１・・・ＣＰＵ、２・・・主メモリ、３・・・システムコントローラ、４・・・液晶ディスプレイ、  ５・・・ＴＶボード、６・・・システムバス、７・・・表示コントローラ、  ８・・・ＬＣＤコントローラ、９・・・表示モード選択信号、１０・・・ＴＶ設定情報、  １１・・・ＨＤＤ、１２・・・リモコンコントローラ、１３・・・リモコン操作信号、  １４・・・電源ユニット、１５・・・電源スイッチ、１６・・・電源オン信号、  １７・・・ＴＶ表示コントローラ、１８・・・ＲＯＭ、１９・・・チューナー、  ２０・・・ＴＶ設定記憶部、２１・・・音声アンプ、２２・・・ＰＣ／ＴＶ音声選択部、  ２３・・・スピーカ23
【図１】
2007311958.tif 000003
【図２】
2007311958.tif 000004
【図３】
2007311958.tif 000005
【図４】
2007311958.tif 000006
【図５】
2007311958.tif 000007
【図６】
2007311958.tif 000008
【図７】
2007311958.tif 000009